(57)【特許請求の範囲】
【請求項１】
光ピックアップであって、
互いに発振波長の異なる第１及び第２の少なくとも２個の半導体レーザ光源を同一パッケージ内に設けたマルチレーザ光源と、
該第１の半導体レーザ光源を発した第１の光ビーム及び該第２の半導体レーザ光源を発した第２の光ビームをそれぞれ約０．６ｍｍの基板厚さを有する第１の光学的情報記録媒体上及び約１．２ｍｍの基板厚さを有する第２の光学的情報記録媒体上の所定の位置に集光させる集光光学系と、
所定の検出面を有する光検出器と、
該光学的情報記録媒体を反射した前記第１および第２の光ビームを前記光検出器の所定の位置に導く光検出光学系と、を備え、
前記光検出光学系は前記マルチレーザ光源を発し前記光学的情報記録媒体を反射した前記第１の光ビームを前記光検出器の所定位置にある第１の検出面領域に導く機能と、前記光学的情報記録媒体を反射した前記第２の光ビームを前記光検出器内の前記第１検出面領域とは異なる位置にある第２の検出面領域に導く機能とを共に有し、
更に、３スポット用回折格子を備え、該３スポット用回折格子の格子溝は、片面にのみ形成されており、該３スポット用回折格子は、前記マルチレーザ光源を発した前記第２の光ビームを少なくとも３本の光ビームに回折分離させ、かつ該３本の光ビームのスポット間隔を前記第２の光学的情報記録媒体上の半径方向では該光学的情報記録媒体の情報トラックピッチのほぼ２分の１にし、更に、前記マルチレーザ光源を発した前記第１の光ビームを少なくとも３本の光ビームに回折分離させ、かつ該３本の光ビームのスポット間隔を前記第１の光学的情報記録媒体上の半径方向では該光学的情報記録媒体の案内溝ピッチのほぼ２分の１にするものであり、
前記マルチレーザ光源を発し、前記第１の光学的情報記録媒体であるＤＶＤ−ＲＡＭを反射した第１の光ビームからトラッキング誤差信号を検出する際はディファレンシャルプッシュプル方式を用い、
前記マルチレーザ光源を発し前記第２の光学的情報記録媒体を反射した第２の光ビームからトラッキング誤差信号を検出する際もディファレンシャルプッシュプル方式を用いることを特徴とする光ピックアップ装置。
【請求項２】
前記集光光学系は前記第１の半導体レーザ光源から出射した第１の光ビームを集光して所定の基板厚さを有する第１の光学的情報記録媒体の所定の記録面上にほぼ回折限界まで良好に絞り込む機能を有し、かつ前記第２の半導体レーザ光源から出射した第２の光ビームを集光して第１の光学的情報記録媒体とは異なる基板厚さを有する第２の光学的情報記録媒体の所定の記録面上にほぼ回折限界まで良好に絞り込む機能を有する事を特徴とする請求項１記載の光ピックアップ装置。
【請求項３】
請求項１又は２記載の光ピックアップ装置において、前記マルチレーザ光源を発した前記第１のレーザ光源は６６０ｎｍ以下の波長を有する半導体レーザ光源であり、かつ第１の光学的情報記録媒体は約０．６ｍｍの基板厚さを有する光ディスクであり、また前記マルチレーザ光源を発した前記第２のレーザ光源は波長７８０ｎｍ乃至７９０ｎｍを有する半導体レーザ光源であり、かつ第２の光学的情報記録媒体は約１．２ｍｍの基板厚さを有する光ディスクであることを特徴とする光ピックアップ装置。
【請求項４】
請求項１から３のいずれか記載の光ピックアップ装置を搭載した光学的情報再生装置。
【請求項５】
請求項１から３のいずれか記載の光ピックアップ装置を搭載した光学的情報記録装置。
【発明の詳細な説明】
【０００１】
【発明の属する技術分野】
本発明は、光学式情報記録媒体（以下、光ディスクと言う）上に光スポットを集光させて光学的に情報信号を読み取る光ピックアップに係わり、特にＤＶＤとＣＤ等のように互いに異なる種類の光ディスクを共に再生する事が出来る互換光ピックアップ装置に関するものである。
【０００２】
【従来の技術】
現在光ディスクには、ＣＤ−ＲＯＭやＣＤ−Ｒの様にディスク基板厚さが１．２ｍｍで記録再生に用いられる半導体レーザ光の波長が７８０ｎｍ帯のものや、ＤＶＤ−ＲＯＭやＤＶＤ−ＲＡＭの様にディスク基板厚さが０．６ｍｍで記録再生に用いられる半導体レーザ光の波長が６５０ｎｍ帯のものなどがある。この様に種々の光ディスクによって基板厚さや対応波長は異なるものの、これら光ディスクから情報信号を再生する光ピックアップ装置としては、同一の装置でCDとDVDの様な異なる種類の光ディスクを共に再生できるものが望ましい。従来、上記の要求を満足する光ピックアップ装置としては、同一筐体内に各ディスクに対応した少なくとも２個以上の半導体レーザ光源と各々別個の独立した対物レンズおよび光検出系を配置したものが用いられていたが、この様な光ピックアップ装置は通常の各ディスク専用の光ピックアップ装置に比べ大型化、複雑化、高価格化を免れない。
【０００３】
一方、光ディスクの利用の拡大に伴い、光ピックアップ装置の小型化、簡略化、低価格化が進められているため、複数種類の光ディスクへの対応を可能とする光ピックアップ装置においては光学部品の共有化、並びに部品数の低減化が必要となる。この様な問題を解決する一例として特開平８−５５３６３号公報や特開平９−５４９７７号公報では２つの異なる波長のレーザ光源を備え、各光源から発した光ビームを途中の光路上で合成する事により１つの対物レンズで情報の再生を可能にする技術が開示されている。さらに光検出系も一系統に統合することにより、光ピックアップ装置のさらなる合理化を実現する技術も開示されている（１９９９年 応用物理学会秋期講演会予稿集ｐ．９９１）。
【０００４】
一方、上記の様な技術動向に応じて互いに発振波長の異なる２種類の半導体レーザを同一のパッケージ内に設けた２波長マルチレーザ光源が製品化されつつあり、この２波長マルチレーザ光源を用いて光ピックアップ装置のさらなる小型化、簡略化を目指す動きがある。
【０００５】
【発明が解決しようとする課題】
しかしながら複数種類の光ディスク対応の光ピックアップ装置において、２波長マルチレーザ光源を用い、かつ１つの対物レンズと１系統の光検出系で情報の再生を行う技術に関しては従来ほとんど開示されていなかった。この理由として、２波長マルチレーザ光源を用いると各レーザ光源における光源間の相対位置が既に決まっているため、一系統の光検出系の光検出面上において各光ビーム毎に光スポットの位置を独立に制御するのが難しい事が上げられる。
【０００６】
そこで本発明では上記の問題を解決し、２波長マルチレーザ光源を用い、かつ１つの対物レンズと１系統の光検出系で複数種類の光ディスクの情報の再生を行うことのできる光ピックアップ装置を提供することにある。
【０００７】
【課題を解決するための手段】
上記目的は、一例として、特許請求の範囲に記載の発明により達成できる。
【００１３】
【発明の実施の形態】
以下、本発明の実施例について図を用いて説明する。図１は本発明の第１の実施形態である光ピックアップ装置の概略構成図である。レーザ光源１は互いに発振波長の異なる（発振波長６５０ｎｍ帯と７８０ｎｍ帯）２つの半導体レーザチップを同一のパッケージ内に設けた2波長マルチレーザ光源である。
【００１４】
例えばＤＶＤ−ＲＯＭの様な高密度光ディスクを再生する場合は、波長６５０ｎｍ帯の光ビームを２波長マルチレーザ光源１から出射させる。この光ビームは３スポット用の回折格子９を通過し、光軸に対して４５°の角度を成して配置されているハーフミラー３で反射され、立ち上げミラー４を経てコリメータレンズ５によって平行光束に変換されて対物レンズ６に到達する。この対物レンズ６はアクチュエータ７にて保持されており、光ディスク８上に光ビームを集光させて光スポットを形成する。光ディスク８を反射した光ビームは往路と同じ光路を逆にたどって対物レンズ６、コリメータレンズ５、立ち上げミラー４を経てハーフミラー３に入射する。そしてハーフミラー３を透過した光ビームはホログラム素子１０に達する。
【００１５】
ホログラム素子１０は、後述するように波長７８０ｎｍ帯の光ビームに対して＋１次回折光ビームまたは−１次回折光ビームを分離発生させ、これら回折光ビームのどちらか一方を光検出器２内の所定の検出領域に集光させる機能を持つよう格子溝パターンが設計されている素子であるが、当然、波長６５０ｎｍ帯の光ビームが入射しても０次光ビームおよび±１次回折光ビームが生じる。
【００１６】
しかしながら本実施例では、このうちホログラム素子１０をまっすぐ透過した０次光ビームだけが検出レンズ１１を経て光検出器２内の所定の検出領域に入射する様に設計されている。なお検出レンズ１１はシリンドリカルレンズと凹レンズを組み合わせたレンズであり、前記０次光ビームを光検出器２内の所定の検出領域に集光させる機能とハーフミラー３によって該０次光ビーム内に付加されたコマ収差並びに図１のｙ方向とｘ方向に関する非点収差をキャンセルし、なおかつｘｙ平面内においてｙ軸方向に対して４５°傾いた方向に所定量の非点収差を発生させる機能を有している。
【００１７】
次にＣＤ−ＲＯＭの様な従来の光ディスクを再生する場合は、２波長マルチレーザ光源１から波長７８０ｎｍ帯の光ビームを出射する。この光ビームは上記と同様に３スポット用の回折格子９を通過し０次回折光と±１次回折光に回折分離するが、その際各々の光ビームは例えば光ディスク８上において４分の１トラックピッチずつディスク半径方向にずれて光スポットを形成するように回折分離する。回折格子９を通過した光ビームは光軸に対して４５°の角度を成して配置されているハーフミラー３で反射され、立ち上げミラー４を経てコリメータレンズ５によって平行光束に変換され対物レンズ６に到達する。対物レンズ６はアクチュエータ７にて保持されており、前述したようにDVDディスク上に波長６５０ｎｍ帯の光ビームを集光する機能と共に、ＣＤ−ＲＯＭの様な光ディスク８上に波長７８０ｎｍ帯の光ビームを集光させて光スポットを形成する機能を同時に有する。
【００１８】
光ディスク８を反射した光ビームは往路と同じ光路を逆にたどって対物レンズ６、コリメータレンズ５、立ち上げミラー４を経てハーフミラー３に入射し、このハーフミラー３を透過した後、ホログラム素子１０に達する。このホログラム素子１０は前述したように所定の格子溝パターンを備えており、入射した波長７８０ｎｍ帯の光ビームを所定の回折効率で回折分離し±１次回折光ビームを発生させるが、この際ハーフミラー３及び検出レンズ１１を透過することによって前記＋１次回折光ビームまたは−１次回折光ビーム内に生じる非点収差およびコマ収差をキャンセルし、この回折光ビームを、検出レンズ１１を経て光検出器２内の波長６５０ｎｍ帯の光ビームが到達する所定の検出領域とは異なる位置にある所定の検出領域にほぼ収差なく集光させる機能を持つ。
【００１９】
続いて図２は第１の実施形態において前述したようにDVDディスクを再生する場合、つまり２波長マルチレーザ光源１から波長６５０ｎｍ帯の光ビームが出射している場合における、光検出器２面上の光スポットと光検出面との位置関係を示したものである。ここでは、３スポット用回折格子９およびホログラム素子１０によって回折分離したいくつかの光束の内、これら光学素子をそのまま通過した０次光１００ａが４分割フォトディテクタ２ａに入射するように光検出面が配置されており、光ディスク再生時における情報信号、フォーカス誤差信号，トラッキング誤差信号は、この４分割フォトディテクタ２ａ内の各検出領域からの出力値を演算する事によって検出される。なお３スポット用回折格子９およびホログラム素子１０によって生じる１００ａ以外の回折光については特に図示しないが、これらの回折光が４分割フォトディテクタ２ａの出力値に影響を与えないように光検出面は配置されている。
【００２０】
以下、フォーカス誤差信号の検出方法を説明する。前述したように検出レンズ１１はｘｙ平面内においてｙ軸方向に対して４５°傾いた方向に非点収差を発生させる役割を果たしている。したがって、フォーカス誤差信号は従来からよく用いられる非点収差方式によって検出することができる。すなわち、いま光ディスク８の記録面に光スポットが合焦されている時、図３（ａ）に示したように４分割フォトディテクタ２ａ上では円形の光スポットが形成される様に検出レンズ１１もしくは光検出器２の位置を調整すれば、光ディスク８が対物レンズ６から遠ざかったデフォーカス状態では図３（ｂ）に示したように細長い光スポットが、また光ディスク８が対物レンズ６に近づいたデフォーカス状態では図３（ｃ）に示したように、図３（ｂ）における細長い光スポットが９０°傾いた形で４分割フォトディテクタ２ａ上に形成される。よって４分割フォトディテクタ２ａの各検出領域における出力値を各検出領域の符号で表わすとすると、《数１》の演算を行うことによりフォーカス誤差信号ＦＥを検出できる。
【００２１】
【数１】
0004416228.tif 000002
【００２２】
一方、トラッキング誤差信号については、４分割フォトディテクタ２ａの各検出領域からの出力信号の位相差を検出するいわゆる位相差検出方式（Differential Phase Detection方式）またはプッシュプル方式を用いて検出することができる。
【００２３】
次に図４は第１の実施形態において前述したようにＣＤ−ＲＯＭディスクを再生する場合、つまり２波長マルチレーザ光源１から波長７８０ｎｍ帯の光ビームが出射している場合における光検出器２面上の光スポットと光検出面との位置関係を示したものである。ここでは、３スポット用回折格子９をそのまま通過したメインビーム（０次回折光）の光束断面ががホログラム素子１０によって半円状に二分割され、それぞれ異なる回折角で回折される。そしてその＋１次回折光２００ａが４分割フォトディテクタ２ｂの分割境界線上に図のように集光される。
【００２４】
また３スポット用回折格子９によって生じたサブビーム（±１次回折光）もホログラム素子１０によって回折かつ半円状に二分割され、各々の＋１次回折光２００ｂ、２００ｃがそれぞれフォトディテクタ２ｃ、２ｄに入射するように光検出面が配置されている。光ディスク再生時における情報信号、フォーカス誤差信号は４分割フォトディテクタ２ｂ内の各検出領域からの出力値を演算する事によって得られ、トラッキング誤差信号はフォトディテクタ２ｃ及び２ｄの各検出領域からの出力値を演算する事によって得られる。なおホログラム素子１０によって生じる２００ａ、２００ｂ、２００ｃ以外の回折光については特に図示しないが、これらの回折光が４分割フォトディテクタ２ｂ及びフォトディテクタ２ｃ、２ｄの出力値に影響を与えないように光検出面は配置されている。
【００２５】
上記ではＣＤ−ＲＯＭディスクを再生する場合、ホログラム素子１０により分離発生した回折光のうち＋１次回折光を用いて所定の信号を検出したが、ホログラム素子１０により分離発生した回折光のうち−１次回折光を用いて所定の信号を検出しても一向に構わない。
【００２６】
以下、ＣＤ再生時のフォーカス誤差信号の検出方法を説明する。ＣＤ再生時はいわゆるダブルナイフエッジ方式によりフォーカス誤差信号が検出される。すなわち、いま光ディスク８上に光スポットが合焦状態で集光されている時、４分割フォトディテクタ２ｂ上における光スポット２００ａが図５（ａ）に示したように４分割フォトディテクタ２ｂの分割境界線上に合焦点されるようにホログラム素子１０または光検出器２の位置を調整すれば、光ディスク８が対物レンズ６から遠ざかったデフォーカス状態では図５（ｂ）に示したように、また光ディスク８が対物レンズ６に近づいたデフォーカス状態では図５（ｃ）に示したように、４分割フォトディテクタ２ｂ上に形成される。よって４分割フォトディテクタ２ｂの各検出領域における出力値を各検出領域の符号で表わすとすると、《数２》の演算を行うことによりフォーカス誤差信号ＦＥを検出出来る。
【００２７】
【数２】
0004416228.tif 000003
【００２８】
一方、トラッキング誤差信号の検出方法としてはフォトディテクタ２ｃ，２ｄにおける出力値を、その符号で表わすとすると、《数３》の演算を行う事により３スポット方式を利用してトラッキング誤差信号ＴＥを検出できる。
【００２９】
【数３】
0004416228.tif 000004
【００３０】
以上のようにして、第１の実施形態の光ピックアップ装置においてフォーカス誤差信号，及びトラッキング誤差信号の検出を行う事が出来る。
【００３１】
次に、ホログラム素子１０の格子溝パターンの設計方法を図６（ａ）（ｂ）を用いて以下説明する。いま光ディスク８上に波長７８０ｎｍ帯の光ビームの光スポットが合焦状態で集光されている時、光検出器２内の４分割フォトディテクタ２ｂにおいて波長７８０ｎｍ帯の光ビームが焦点を結ぶ点を点A及び点Bと置く。ここでホログラム素子１０は波長７８０ｎｍ帯の光ビームの光束断面を２分割して光検出器２内の所定の検出領域に光スポットを形成するため、図６（ｂ）に示すようにｘ軸に平行な線により２分割された（領域１０ａと領域１０ｂ）ホログラム素子となっており、領域１０ａにおけるホログラムパターンは例えば、ｘｙ平面内においてｙ軸に対して４５度傾いた方向に非点収差を有する波長７８０ｎｍ帯の球面波３００と図６（ａ）に示すように点Aに焦点位置を有する非点収差の無い波長７８０ｎｍ帯の球面波３０１とによってホログラム素子１０の設置位置に生じる干渉縞のパターンに沿って格子を刻む事により得られ、領域１０ｂにおけるホログラムパターンは例えば、球面波３００と点Ｂに焦点位置を有する非点収差の無い波長７８０ｎｍ帯の球面波３０２とによってホログラム素子１０の設置位置に生じる干渉縞のパターンに沿って格子を刻む事により得られる。
【００３２】
図７にホログラム素子１０の具体的な格子溝パターンの一例を示す。図に示す様に格子溝は不等間隔曲線状のパターンを有しており、かつ回折角度の違いから領域１０ａと領域１０ｂの格子ピッチは互いに異なっている。
【００３３】
ところで図１に示した光ピックアップ装置において、２波長マルチレーザ光源１内にある２つの半導体レーザ光源の相対距離が変化すれば６５０ｎｍ帯の光ビームと７８０ｎｍ帯の光ビームの焦点位置は変わってしまうが、ホログラム素子１０を光軸方向に移動および光軸まわりに回転する事によって、光検出器２において光検出される６５０ｎｍ帯の光ビーム１００ａの焦点位置や検出面上位置を変えずに、光検出器２に入射される７８０ｎｍ帯の光ビーム２００ａ、２００ｂ、２００ｃの焦点位置や、検出面に対する相対位置をシフトさせる事が出来るため、７８０ｎｍ帯の光ビームのフォーカス誤差信号のディテクタ調整やオフセット調整を６５０ｎｍ帯の光ビームから独立して行うことが可能である。
【００３４】
一方、上記の実施形態においては、ホログラム素子１０は光検出に用いない無駄な回折光も回折分離してしまうので、結果的に信号検出に用いる光束に関しあまり高い光利用効率が得られない可能性がある。また信号検出に用いない不要な光が迷光成分になって検出面に飛び込み信号検出のＳ／Ｎ比を低下させる可能性もある。しかしながら、このような問題はホログラム素子１０に刻んだ格子を鋸歯状化して信号検出に必要な回折光の回折効率を選択的に向上させることにより大幅に改善される。
【００３５】
また、前記ホログラム素子１０の回折効率に波長または偏光依存性を持たせることにより、信号光の光利用効率を改善することもできる。例えば本発明の第２の実施形態として、ホログラム素子１０の格子溝深さを最適化して回折効率を波長の違いに応じて変化させることにより、上記の第１実施形態における光の利用効率の低下を改善させた例を説明する。すなわち、上記の第１実施形態において光検出器２で検出する光ビームは、波長６５０ｎｍ帯の光ビームに関してはホログラム素子１０により回折分離した内の０次光であり、波長７８０ｎｍ帯の光ビームに関してはホログラム素子１０により回折分離した内の＋１次回折光または−１次回折光である。故にホログラム素子１０の回折効率としては、６５０ｎｍ帯の光に対してはより多くの０次回折光が生じ、７８０ｎｍ帯の光に対してはより多くの±１次回折光が生じれば光の利用効率を上げる事が出来る。
【００３６】
一般に、矩形状の格子溝断面を持つ回折格子の場合、図８に示したように回折格子３０の格子溝幅をｗ、格子周期をｐ、格子溝深さをｈと定義すると、０次光１０１ａの光強度Ｉ０、＋１次光１０１ｂ（−１次光１０１ｃ）の光強度Ｉ１はｗ、ｐ、ｈに大きく依存し、入射光の光強度を１とした場合《数４》の様に表わせる。
【００３７】
【数４】
0004416228.tif 000005
【００３８】
ただしｎは回折格子が刻まれている透明部材３０の屈折率、５λ/４は回折格子に入射した光ビームの波長である。よって《数４》より、６５０ｎｍ帯の入射光に関してはより多くの０次回折光を生じさせるために
【００３９】
【数５】
0004416228.tif 000006
【００４０】
を満たし、なおかつ７８０ｎｍ帯の入射光に関してはより多くの1次回折光を生じさせるために
【００４１】
【数６】
0004416228.tif 000007
【００４２】
を同時に満たす様な格子溝深さにすれば良い。
【００４３】
例えば （ｎ−１）ｈ = １９５０［ｎｍ］となるように格子溝深さを設定すると、（ｎ−１）ｈ＝３ ・６５０＝２．５・７８０ となり、《数５》と《数６》を同時に満たすため、光の利用効率を改善する事が出来る。
【００４４】
ところで、このような波長依存性もしくは波長選択性を有するホログラム素子は、前述したような格子溝深さのコントロールによって実現される素子に限定されるものではない。７８０ｎｍ帯の光に対しては±１次回折光の回折効率が充分高く、６５０ｎｍ帯の光に対しては０次光の効率が充分高くなるような素子であれば、どのような原理に基づく素子であっても一向に構わない。
【００４５】
次に本発明の第３の実施形態として、偏光性素子を用いて信号検出光の光利用効率を改善させた例について図を用いて説明する。図９は本発明の第３の実施形態としての光ピックアップ装置の概略構成図である。なお図１に示した本発明の第１の実施形態と同じ部品には、同じ番号を付している。本実施形態は上記の第２実施形態と異なり、ホログラム素子１０の代わりに偏光依存性ホログラム１２を用い、かつ偏光変換素子１３と組み合わせることにより、偏光を利用して光の利用効率を改善している。
【００４６】
ここで偏光変換素子１３としては、６５０ｎｍ帯の光ビームに対して５λ/４板として機能する波長板を用いている。また偏光依存性ホログラム１２は例えばＳ偏光を有する光束のみ所定の回折効率で回折させ、それに垂直な偏光方向であるＰ偏光を有する光束は回折せずにそのまま透過させるよう機能する。
【００４７】
例えばＤＶＤ−ＲＯＭの様な高密度光ディスクを再生する場合は、波長６５０ｎｍ帯のS偏光の光ビームを２波長マルチレーザ光源１から出射させる。この光ビームは３スポット用の回折格子９を通過して、光軸に対して４５°の角度を成して配置されているダイクロハーフミラー３に入射する。ダイクロハーフミラー３において反射した光ビームは、立ち上げミラー４を経て偏光変換素子１３に入射する。
【００４８】
ここで偏光変換素子１３は６５０ｎｍ帯の光ビームに対しては５λ/４板として働くため、S偏光で入射してきた光ビームは偏光変換素子１３を通過後円偏光の光ビームとなりコリメータレンズ５によって平行光束に変換され対物レンズ６に到達する。対物レンズ６はアクチュエータ７にて保持されており、例えばＤＶＤ−ＲＯＭの様な光ディスク８上に光ビームを集光させて光スポットを形成する事が出来る。
【００４９】
光ディスク８を反射した光ビームは往路を逆にたどって対物レンズ６、コリメータレンズ５を経て偏光変換素子１３に入射し、円偏光で入射してきた光ビームは偏光変換素子１３を通過後P偏光の光ビームとなって、立ち上げミラー４を経てダイクロハーフミラー３を透過して、偏光依存性ホログラム１２に入射する。偏光依存性ホログラム１２は、P偏光の光ビームに対しては回折機能は作用せず、単なる透明部材となるため、偏光依存性ホログラム１２に入射したP偏光の光ビームは回折されず、そのまま素通りして検出レンズ１１を経て光検出器２内の所定の検出領域に到達する。
【００５０】
次にＣＤ−ＲＯＭの様な従来の光ディスクを再生する場合は、２波長マルチレーザ光源１から波長７８０ｎｍ帯のＳ偏光の光ビームを出射する。２波長マルチレーザ１を出射した光ビームは３スポット用の回折格子９を通過し、光軸に対して４５°の角度を成して配置されているダイクロハーフミラー３に入射する。ダイクロハーフミラー３において反射した光ビームは立ち上げミラー４を経て偏光変換素子１３に入射する。ここで偏光変換素子１３は前述したように６５０ｎｍ帯の光ビームに対しては５λ/４板として機能する素子であるため、波長７８０ｎｍ帯の光に対してはほぼλ板として働く。そのため波長７８０ｎｍ帯の光は偏光変換素子１３を通過後もS偏光のままでコリメータレンズ５によって平行光束に変換され対物レンズ６に到達する。
【００５１】
対物レンズ６はアクチュエータ７にて保持されており、前述したようにDVDディスク上に光ビームを集光する機能とＣＤ−ＲＯＭの様な光ディスク８上に光ビームを集光させて光スポットを形成する機能を同時に有する。光ディスク８を反射した光ビームは往路を逆にたどって対物レンズ６、コリメータレンズ５を経て偏光変換素子１３に入射し、偏光変換素子１３を通過後もS偏光の光ビームのままで、立ち上げミラー４を経てダイクロハーフミラー３を透過して、偏光依存性ホログラム１２に入射する。偏光依存性ホログラム１２はS偏光の光ビームに対しては回折させる機能を持っているため、偏光依存性ホログラム１２において光ビームは所定の回折効率で回折され、検出レンズ１１を経て光検出器２内の、波長６５０ｎｍ帯の光ビームが到達する所定の検出領域とは異なる位置にある所定の検出領域に到達する。
【００５２】
このような構成にすると、DVD再生時、CD再生時いずれの場合においても信号検出に必要な光束だけを効率よく光検出器に導くことができ、光利用効率を大幅に改善させるとともに、不要な迷光成分を除去することができる。なお光検出器２の光検出面上の光スポットと光検出面との位置関係及び光ディスク再生時における情報信号、フォーカス誤差信号，トラッキング誤差信号の検出方法は、上記第１の実施形態と同じである。
【００５３】
また、偏光依存性ホログラム１２を光軸方向に移動並びに光軸まわりに回転する事によって、上記第１の実施形態と同様に光検出器２において光検出される６５０ｎｍ帯の光ビーム１００ａの焦点位置や検出面上位置を変えずに、光検出器２において光検出される７８０ｎｍ帯の光ビーム２００ａ、２００ｂ、２００ｃの焦点位置や検出面上位置を独立して変える事が出来るため、６５０ｎｍ帯光ビームと７８０ｎｍ帯光ビームに対するディテクタ調整やフォーカス誤差信号オフセット調整を独立に行う事が可能である。
【００５４】
さらにダイクロハーフミラー３に対して、６５０ｎｍの光に関してはＳ偏光がほぼ全反射、Ｐ偏光がほぼ１００％透過し、７８０ｎｍの光に関してはＳ偏光が反射・透過共に約５０％となるような機能を持たせば、より光の利用効率を改善できる。
【００５５】
次に本発明の第４の実施形態としての光ピックアップ装置について以下説明する。本実施形態の光ピックアップ装置の基本的構成は図１に示した第１の実施形態と同じであるが、本実施形態ではＣＤ−ＲＯＭの様な従来の光ディスクを再生する場合、フォーカス誤差信号の検出にはビームサイズ方式を用い、トラッキング誤差信号の検出にはディファレンシャルプッシュプル方式（ＤＰＰ方式）を用いる事を特徴としているため、光検出器２内の光検出面の配置並びにホログラム素子１０のホログラムパターンが第１の実施形態と異なっている。まず本実施形態において光検出器２内の光検出面の配置は図１０に示した様に施されている。
【００５６】
図１０は２波長マルチレーザ光源１から波長７８０ｎｍ帯の光ビームが出射している場合における光検出器面上の光スポットと光検出面との位置関係を示したものである。この時、３スポット用回折格子９をそのまま通過したメインビーム（０次回折光）がホログラム素子１０によって二分割され、それぞれ異なる回折角で回折され、その+１次回折光２０１ａ及び２０１ｂが6分割フォトディテクタ２ｂ’に図のように集光される。また３スポット用回折格子９によって生じたサブビーム（±1次回折光）もホログラム素子１０によって回折かつ二分割され、各々の+１次回折光２０１ｃ、２０１ｄ、２０１ｅ、２０１ｆがそれぞれ図のように２分割フォトディテクタ２ｃ’、２ｄ’に入射するように光検出面は配置されている。
【００５７】
また本実施形態においてホログラム素子１０は図１１に示す様にｙ軸に平行な線により２分割された（領域１０ａ’と領域１０ｂ’）ホログラム素子であり、領域１０ａ’におけるホログラムパターンは例えば、この領域に入射した波長７８０ｎｍ帯の光ビームの＋１次回折光２０１ａを光検出面２ｂ’の所定の位置に導く際、２０１ａは光検出面２ｂ’の手前の位置に焦点を持つように施されており、領域１０ｂ’におけるホログラムパターンは例えば、この領域に入射した波長７８０ｎｍ帯の光ビームの＋１次回折光２０１ｂを光検出面２ｂ’の所定の位置に導く際、２０１ｂは光検出面２ｂ’より奥の位置に焦点を持つように施されている。
【００５８】
よって光ディスク８上に光スポットが合焦状態で集光されている時、図１２（ａ）に示した様に６分割フォトディテクタ２ｂ’上における光スポット２０１ａと２０１ｂの断面積がほぼ等しくなる様にホログラム素子１０または光検出器２の位置を調整すれば、光ディスク８が対物レンズ６から遠ざかったデフォーカス状態では図１２（ｂ）に示したように、また光ディスク８が対物レンズ６に近づいたデフォーカス状態では図１２（ｃ）に示したように、６分割フォトディテクタ２ｂ’上に形成される。よって６分割フォトディテクタ２ｂ’の各検出領域における出力値を各検出領域の符号で表わすとすると、フォーカス誤差信号の検出は《数７》の演算によって得られる。
【００５９】
【数７】
0004416228.tif 000008
【００６０】
なお、この様なフォーカス誤差信号検出方式は一般にビームサイズ方式と呼ばれ、すでに公知の技術である。
【００６１】
またトラッキング誤差信号ＴＥの検出にはディファレンシャルプッシュプル方式（ＤＰＰ方式）を用いる。すなわち光検出面２ｃ’と２ｄ’の各検出領域の符号でその出力値を表わすと、《数８》の演算によって得られる。
【００６２】
【数８】
0004416228.tif 000009
【００６３】
さらに前記に示したように、ホログラム素子１０に刻んだ格子を鋸歯状化して信号検出に必要な回折光の回折効率を選択的に向上させることにより、信号検出に用いる光束に関し高い光利用効率を得る事が出来、また信号検出に用いない不要な光が迷光成分になって検出面に飛び込み信号検出のＳ／Ｎ比を低下させる可能性を極力減らす事が出来る。
【００６４】
また前記第２の実施形態及び前記第３の実施形態に示したように、ホログラム素子１０の回折効率に波長または偏光依存性を持たせることにより、信号光の光利用効率をさらに改善することができる。
【００６５】
ところで、本実施形態においてＣＤ−ＲＯＭの様な従来の光ディスクを再生する場合、トラッキング誤差信号の検出にはDPP方式を用いているため、光ディスク８上における３スポットの間隔が情報トラックピッチの２分の１の長さである０．８μｍ程度となるように３スポット用回折格子９が設置されている。また一般にスポット間隔はほぼ波長に比例すると考えられるので、この時２波長マルチレーザ光源１を出射した波長６５０ｎｍ帯の光ビームは、光ディスク８上においてスポット間隔が０．６７μｍ程度となり、この長さはＤＶＤ−ＲＡＭディスクの案内溝ピッチの約２分の１程度となっている。そのためＤＶＤ−ＲＡＭディスクのトラッキング誤差信号の検出としてもＤＰＰ方式を用いる事が出来るため、光検出器２内にＤＶＤ−ＲＡＭディスクのトラッキング誤差信号の検出領域を付け加える事によりＤＶＤ−ＲＡＭディスクの再生が可能となる。
【００６６】
【発明の効果】
以上述べたように、光ピックアップ装置の光源に２波長マルチレーザを用い、かつ１つの対物レンズと１系統の光検出系で複数種類の光ディスクの情報の再生を行う事により光学部品数を低減し、光ピックアップ装置のさらなる小型化、簡略化、低価格化を実現できる。
【図面の簡単な説明】
【図１】本発明の第１の実施形態を示した光ピックアップ装置の概略構成図。
【図２】光検出面上における波長６５０ｎｍ帯の光ビームの光スポットと光検出面の配置図との位置関係を示した概略図。
【図３】本発明の第１の実施形態においてＤＶＤの様な高密度光ディスクを再生する際  (a) 光ディスク上に光ビームが合焦している状態における光検出器の平面図。
(b) 光ディスクに対物レンズが近づいたデフォーカス状態における光検出器の平面図。
(c) 光ディスクに対物レンズが遠ざかったデフォーカス状態における光検出器の平面図。
【図４】光検出面上における波長７８０ｎｍ帯の光ビームの光スポットと光検出面の配置図との位置関係を示した概略図。
【図５】本発明の第１の実施形態においてＣＤの様な光ディスクを再生する際
(a) 光ディスク上に光ビームが合焦している状態における光検出器の平面図。
(b) 光ディスクに対物レンズが近づいたデフォーカス状態における光検出器の平面図。
(c) 光ディスクに対物レンズが遠ざかったデフォーカス状態における光検出器の平面図。
【図６】第１の実施形態におけるホログラム素子の設計方法を示した図。
【図７】第１の実施形態におけるホログラム素子のホログラムパターンを示す概略図。
【図８】矩形状の格子溝断面を持つ回折格子による光の回折を示した概略図。
【図９】本発明の第３の実施形態を示した光ピックアップ装置の概略構成図。
【図１０】本発明の第４の実施形態における光検出器面上の光スポットと光検出面との位置関係を示した概略図。
【図１１】本発明の第４の実施形態におけるホログラム素子の平面図。
【図１２】本発明の第４の実施形態においてＣＤの様な光ディスクを再生する際
(a) 光ディスク上に光ビームが合焦している状態における光検出器の平面図。
(b) 光ディスクに対物レンズが近づいたデフォーカス状態における光検出器の平面図。
(c) 光ディスクに対物レンズが遠ざかったデフォーカス状態における光検出器の平面図。
【符号の説明】
１ ・・・・・ ２波長マルチレーザ、 ２ ・・・・・ 光検出器、 ５ ・・・・・ コリメートレンズ、  ６ ・・・・・ 対物レンズ、 ８ ・・・・・ 光ディスク、 ９ ・・・・・ ３スポット用回折格子、１０ ・・・・・ ホログラム素子、 １１ ・・・・・ 検出レンズ、 １２ ・・・・・ 偏光選択性ホログラム素子、１３ ・・・・・ 偏光変換素子。
【図１】
0004416228.tif 000010
【図２】
0004416228.tif 000011
【図３】
0004416228.tif 000012
【図４】
0004416228.tif 000013
【図５】
0004416228.tif 000014
【図６】
0004416228.tif 000015
【図７】
0004416228.tif 000016
【図８】
0004416228.tif 000017
【図９】
0004416228.tif 000018
【図１０】
0004416228.tif 000019
【図１１】
0004416228.tif 000020
【図１２】
0004416228.tif 000021